(57)【要約】【課題】  脱水コンベアに載置される遊技媒体に付着される洗浄液を該脱水コンベアの変位中に迅速に除去する。【解決手段】  筐体１１に設けられる脱水コンベア１０は、コンベア本体１２に回転自在に軸支されるローラ１３、１４が設けられ、該ローラ１３、１４には、無端ベルト１７が巻装される。無端ベルト１７の外周面には、長さ方向に沿って等間隔に穴２２が設けられ、該穴２２は長さ方向に略直交する幅方向に沿って等間隔に配設される。前記穴２２の無端ベルト１７の幅方向に沿って設けられる穴２２間の間隔および縁には、該穴２２の略中央部に幅方向に沿って突起部２３が等間隔に複数個設けられる。突起部２３は、無端ベルト１７に接着剤により固着される。【選択図】  図１
2005125028.tif 000002
【特許請求の範囲】
【請求項１】
遊技機にて使用される遊技媒体に付着した汚れを除去するための遊技媒体洗浄装置であって、
コンベア本体と、
前記コンベア本体に回転自在に軸支される回転体に巻装されて変位する移動部材と、
前記移動部材に設けられた開口部と、
前記移動部材に設けられた突起部と、
を備え、
前記移動部材の変位中に前記遊技媒体が前記突起部に係止して該遊技媒体に付着する液体を前記開口部より排出することを特徴とする遊技媒体洗浄装置。
【請求項２】
請求項１記載の遊技媒体洗浄装置において、
前記開口部は、前記移動部材の長さ方向に等間隔に設けられ、幅方向に複数個設けられることを特徴とする遊技媒体洗浄装置。
【請求項３】
請求項１または２記載の遊技媒体洗浄装置において、
前記突起部は、前記移動部材の長さ方向に直交して前記開口部に沿って複数個設けられることを特徴とする遊技媒体洗浄装置。
【請求項４】
請求項１乃至３記載のいずれか１項に記載の遊技媒体洗浄装置において、
前記開口部は円形状、長円形状または多角形状であることを特徴とする遊技媒体洗浄装置。
【請求項５】
請求項１ないし４記載のいずれか１項に記載の遊技媒体洗浄装置において、
前記移動部材には長さ方向に沿って溝が設けられ、前記溝が幅方向に複数個形成されることを特徴とする遊技媒体洗浄装置。
【請求項６】
請求項５記載の遊技媒体洗浄装置において、
前記溝は、横断面略Ｖ字状またはＵ字状に形成されることを特徴とする遊技媒体洗浄装置。
【請求項７】
請求項１ないし６記載のいずれか１項に記載の遊技媒体洗浄装置において、
前記コンベア本体には、前記移動部材に載置される前記遊技媒体の渋滞を検出する検出器が設けられることを特徴とする遊技媒体洗浄装置。
【請求項８】
請求項１ないし７記載のいずれか１項に記載の遊技媒体洗浄装置において、
前記移動部材には垂下を防止するガイド機構が設けられることを特徴とする遊技媒体洗浄装置。
【発明の詳細な説明】
【技術分野】
【０００１】  本発明は、例えば、パチスロ、スロットマシン等の遊技機で使用される遊技媒体であるメダルを洗浄する遊技媒体洗浄装置に関するものである。
【背景技術】
【０００２】  パチスロ、スロットマシン等に使用されているメダルを洗浄する遊技媒体洗浄装置は、メダルを投入する工程と、前記メダルが互いに重畳しないように整列する工程と、整列したメダルの一側を洗浄する工程と、一側が洗浄された前記メダルを反転する工程と、反転したメダルの他側を洗浄する工程と、洗浄されたメダルから洗浄液を除去する工程と、洗浄液が除去されたメダルを乾燥する工程と、乾燥されたメダルを排出する工程とから構成される（例えば、特許文献１参照）。
【特許文献１】      特許番号  第２５３８５０１号公報（第２頁第４欄〜第３頁第５欄）
【発明の開示】
【発明が解決しようとする課題】
【０００３】  特許文献１に記載される遊技媒体洗浄装置は、各工程が一定の幅を備えるベルトコンベアにメダルが載置されて搬送することを特徴とするものである。この場合、洗浄されたメダルから洗浄液を除去する工程は、ベルトコンベア上で行われ、次いで拭き取りローラによりメダルを挟持しながら拭く作業が行なわれていた。
しかしながら、このような作業工程においては、ベルトコンベアによる移送中にメダルに付着する洗浄液の除去を迅速に行なうことができないために、メダルに付着する洗浄液を完全に拭うことができなかった。【０００４】  本発明は、上記の課題を解決するためになされたもので、ベルトコンベアの移送中にメダルに付着する洗浄液の除去を迅速に行なうことができる遊技媒体洗浄装置を提供することを目的とする。
【課題を解決するための手段】
【０００５】  前記課題を解決するため、本発明は、遊技機にて使用される遊技媒体に付着した汚れを除去するための遊技媒体洗浄装置であって、
コンベア本体と、
前記コンベア本体に回転自在に軸支される回転体に巻装されて変位する移動部材と、
前記移動部材に設けられた開口部と、
前記移動部材に設けられた突起部と、
を備え、
前記移動部材の変位中に前記遊技媒体が前記突起部に係止して該遊技媒体に付着する液体を前記開口部より排出することを特徴とする。
本発明によれば、移動部材に載置された遊技媒体に付着する液体の除去が該移動部材の変位中で行なわれるので、遊技媒体の乾燥効果を高めることができる。
この場合、前記開口部は、前記移動部材の長さ方向に等間隔に設けられ、幅方向に複数個設けられると、移動部材に貯溜する液体を開口部から排出するができるので好適である。
さらに、前記突起部は、前記移動部材の長さ方向に直交して前記開口部に沿って複数個設けられると、移動部材に載置される遊技媒体が突起部に係止して該移動部材上の滑動を防止し確実に搬送されるのでよい。
また、前記開口部は円形状、長円形状または多角形状であると、遊技媒体に付着する液体の脱水を移動部材より容易に行なうことができるでよい。
さらにまた、前記移動部材には長さ方向に沿って溝が設けられ、前記溝が幅方向に複数個形成され、該溝は横断面略Ｖ字状またはＵ字状に形成されるので、移動部材に接触するメダルの接触部が少なくなり、容易に液体が除去できる。
この場合、前記コンベア本体には、前記移動部材に載置される前記遊技媒体の渋滞を検出する渋滞センサーが設けられると、遊技媒体の渋滞が検出されるのでよい。
また、前記移動部材には、垂下を防止するガイド部材が設けられると移動部材を平坦に保持し、遊技媒体の重畳を回避することができるのでよい。
【発明の効果】
【０００６】  本発明によれば、移動部材に載置された遊技媒体に付着する液体の除去を該移動部材の変位中で行なうことが可能になり、遊技媒体の乾燥効果を高めることができる。さらに、遊技媒体洗浄装置の点検等の作業が容易にでき保守費用を低減することが可能である。
【発明を実施するための最良の形態】
【０００７】  本発明に係る遊技媒体洗浄装置の脱水コンベアについて好適な実施の形態を挙げ、添付図面を参照しながら以下詳細に説明する。【０００８】  図１は、本発明に係る脱水コンベア１０の概略構造を示す。図１に示されるように、脱水コンベア１０は、遊技媒体洗浄装置が形成される筐体１１にコンベア本体１２が取り付けられる。コンベア本体１２は、斜面１２ａおよび平面１２ｂを備える箱型に形成され、斜面１２ａに沿ってローラ（回転体）１３、１４が回転自在に設けられる。【０００９】  ローラ１３、１４はコンベア本体１２に取り付けた軸受１５、１６により軸支され、図示しない駆動源により駆動する。
前記ローラ１３、１４には、可撓性の幅広い無端ベルト（移動部材）１７が巻装されている。よって、ローラ１３、１４の回転により無端ベルト１７が長さ方向に変位する。
なお、ローラ１３は図示しない張力調整機構によって無端ベルト１７の長さ方向に変位可能に設けられ、前記無端ベルト１７の張力が調整される。【００１０】  無端ベルト１７の一端側、例えば、コンベア本体１２の斜面１２ａの下端に位置するローラ１３の近傍には、洗浄された遊技媒体１８を前記無端ベルト１７上に導出するシュート１９が配設される。これにより、遊技媒体１８がシュート１９を滑落して無端ベルト１７に載置される。【００１１】  さらに、ローラ１３の近傍の無端ベルト１７の上方には、該無端ベルト１７に載置された遊技媒体１８の落下を防止するストッパー２０が設けられる。前記ストッパー２０はコンベア本体１２に配設される。よって、遊技媒体１８は無端ベルト１７上に載置されても落下することなく、該無端ベルト１７上に載置された状態に維持される。【００１２】  また、コンベア本体１２には、無端ベルト１７に載置された遊技媒体１８の渋滞を検出する渋滞センサー（検出器）２１が該無端ベルト１７の上方に設けられ、該渋滞センサー２１の検出信号により図示しない遊技媒体洗浄装置の遊技媒体投入部が所定時間停止され、該遊技媒体投入部に投入される遊技媒体の供給を中断する。【００１３】  さらに、無端ベルト１７には外周面の周囲に長さ方向に沿って等間隔に開口部、例えば、円形状の穴２２が形成され、かつ長さ方向に略直交する幅方向に沿って直線状に等間隔に複数個設けられる。前記穴２２の無端ベルト１７の長さ方向の間隔は、遊技媒体１８の直径よりも大きく設ける。この場合、穴２２は、遊技媒体１８に付着した洗浄液が無端ベルト１７のベルト上面より排出する機能を有する。なお、穴２２の形状は円形状に限らず、長円形状、三角形状、四角形状等でも勿論よい。【００１４】  無端ベルト１７の幅方向に沿って設けられる穴２２の間隔および縁には、該穴２２の略中央部に幅方向に沿って突起部２３が等間隔に直線上に複数個設けられる。突起部２３は、無端ベルト１７に対し接着剤により固着される。
突起部２３の無端ベルト１７の長さ方向の間隔の寸法は、遊技媒体１８が前記突起部２３間に収納される大きさに設定すると好適である。なお、無端ベルト１７のベルト面からの突起部２３の突出量は、遊技媒体１８が係止される数値、例えば遊戯媒体１８の厚みよりも若干小さくすると好適である。【００１５】  これにより、無端ベルト１７に載置にされた遊技媒体１８が突起部２３に係止されて、該無端ベルト１７の変位により搬送される。なお、穴２２の大きさおよび穿設される位置は、遊技媒体１８の大きさ（直径）に適宜決めることができる。【００１６】  コンベア本体１２の斜面１２ａに沿って無端ベルト１７の撓みを回避するガイド板（ガイド部材）２４が該無端ベルト１７の内周面側に近接して設けられる。【００１７】  前記コンベア本体１２の平面１２ｂには、ローラ１４に近接して遊技媒体１８の洗浄液を拭き取る脱水ローラユニット２５が着脱自在に設けられる。
この場合、無端ベルト１７に載置されてローラ１４の近傍まで搬送された遊技媒体１８は、ガイド２６を介して脱水ローラユニット２５に導入される。【００１８】  無端ベルト１７の上面１７ａには、該無端ベルト１７の変位方向とは反対方向に回転する逆転ローラ２７が設けられる。前記逆転ローラ２７は、軸受２８を介してコンベア本体１２に回転自在に軸支されて図示しない駆動源により駆動し、無端ベルト１７に載置された遊技媒体１８の重畳を防止する機能を有する。【００１９】  本発明の実施の形態に係る脱水コンベア１０は、基本的には以上のように構成されるものであり、次にその動作ならびに作用効果について説明する。【００２０】  洗浄された遊技媒体１８がシュート１９より随時、無端ベルト１７の一端側、例えば、ローラ１３の近傍の無端ベルト１７上に複数個放出される。これにより、複数個の遊技媒体１８が突起部２３に係止されて無端ベルト１７により上方に搬送され、搬送中に突起部２３および逆転ローラ２７により無端ベルト１７に一枚ずつ整列載置される。【００２１】  遊技媒体１８が無端ベルト１７の他端側、例えば、ローラ１４の近傍まで搬送される間に前記遊技媒体１８に付着された洗浄液が前記無端ベルト１７の穴２２より容易に排出される。
そして、ガイド２６により脱水ローラユニット２５の脱水ローラ２５ａ、２５ｂ間に搬入されて遊技媒体１８が前記脱水ローラ２５ａ、２５ｂにより洗浄液が除去され、次工程に搬送される。【００２２】  本実施の形態に係る脱水コンベア１０においては、遊技媒体１８について説明したが、
本発明はこれに類するコンベアにより搬送される搬送物体にも適用できることは勿論である。
【図面の簡単な説明】
【００２３】
【図１】  本発明の実施の形態に係る遊技媒体洗浄装置の脱水コンベアの概略構造を示す斜視図である。
【符号の説明】
【００２４】１０…脱水コンベア
１２…コンベア本体
１３、１４…ローラ
１７…無端ベルト
１８…遊技媒体
２１…渋滞センサー
２２…穴
２３…突起部
２４…ガイド板
２５…脱水ローラユニット
２６…ガイド
２７…逆転ローラ
【図１】
2005125028.tif 000003